(57)【要約】      （修正有）【課題】全体をコンパクトに梱包することができ、運送料の低減や運送効率の改善を図ることのできる足踏み式噴霧器を提供する。【解決手段】足踏み式噴霧器は、ベース１と、ベース１に立設された支柱２と、支柱２に設けられた載せ台３と、載せ台３上に載置されたスプレーボトルＡのヘッドＡ１を押し下げるプッシャ４と、プッシャ４を操作するフットペダル５と、フットペダル５の足踏み操作による動力をプッシャ４に伝達する伝達具を備え、フットペダル５の足踏み操作によってスプレーボトルＡ内の消毒液を噴霧することのできるものである。支柱２が分離可能な二以上の支柱部材２ａ、２ｂを備えたものである。二以上の支柱部材２ａ、２ｂは、使用時には連結することができ、不使用時には分離することができるように構成されている。【選択図】図１
0003228519.tif 000002
【実用新案登録請求の範囲】
【請求項１】
ベースと、当該ベースに立設された支柱と、当該支柱に設けられた載せ台と、当該載せ台上に載置されたスプレーボトルのヘッドを押し下げるプッシャと、当該プッシャを操作するフットペダルと、当該フットペダルの足踏み操作による動力をプッシャに伝達する伝達具を備え、当該フットペダルの足踏み操作によってスプレーボトル内の消毒液を噴霧することのできる足踏み式噴霧器において、
前記支柱は二以上の支柱部材を備え、
前記二以上の支柱部材は、使用時には連結することができ、不使用時には分離することができる、
ことを特徴とする足踏み式噴霧器。
【請求項２】
請求項１記載の足踏み式噴霧器において、
支柱はベースから分離可能である、
ことを特徴とする足踏み式噴霧器。
【請求項３】
請求項１又は請求項２記載の足踏み式噴霧器において、
載せ台は支柱から分離可能である、
ことを特徴とする足踏み式噴霧器。
【請求項４】
請求項１から請求項３のいずれか１項に記載の足踏み式噴霧器において、
ベース、支柱及び載せ台が分離され、当該支柱が二以上の支柱部材に分離された状態で、最長辺の長さが使用状態の支柱の長さよりも短い梱包箱に収容することができる、
ことを特徴とする足踏み式噴霧器。
【請求項５】
請求項１から請求項４のいずれか１項に記載の足踏み式噴霧器において、
支柱は上支柱と下支柱を備え、
前記下支柱と上支柱はそれらの内部に収容された連結具を介して連結され、
前記連結具の上端側に内芯材が設けられ、
前記内芯材の上端にスライダが設けられ、
前記スライダにプッシャが設けられ、
前記上支柱の内側であって連結具の上側に弾性部材が設けられ、
前記弾性部材は、下端側が前記連結具で支持され、上端側が内芯材に設けられた上ストッパで支持され、
前記連結具の下端側に第一係止部が設けられ、
フットペダルに第二係止部が設けられ、
前記第一係止部に伝達具の一端側が係止され、
前記第二係止部に前記伝達具の他端側が係止された、
ことを特徴とする足踏み式噴霧器。
【考案の詳細な説明】
【技術分野】
【０００１】
本考案は、足踏み操作によってスプレーボトル内の消毒液を噴霧することができる足踏み式噴霧器に関する。
【背景技術】
【０００２】
手指の消毒に用いる消毒液として、スプレーボトル入りの消毒液が広く一般に普及している。このスプレーボトルは、会社や学校、図書館など、不特定多数の人が利用する施設の入り口や洗面所等に設置されて使用される。
【０００３】
従来、スプレーボトルに直接手指を触れることなく消毒ができるようにするため、フットペダルを足で操作することによって、スプレーボトルから消毒液が噴霧される足踏み式噴霧器が知られている（特許文献１）。
【先行技術文献】
【特許文献】
【０００４】
【特許文献１】特開２００８−２２９２９６号公報
【考案の概要】
【考案が解決しようとする課題】
【０００５】
ところで、一般的に、荷物の運送料はそのサイズによって決められることが多い。従来の足踏み式噴霧器は背の高いものが多く、コンパクトに梱包することが難しいため、運送料が高額になる傾向にあり、運送コストの観点で改善の余地がある。また、従来の足踏み式噴霧器のような大型の荷物の場合、運送車両に積み込める数が限られるため、納入数量が多い場合には複数回に分けて運送する必要があり、運送効率の観点でも改善の余地がある。
【０００６】
本考案はかかる事情に鑑みてなされたものであり、その解決課題は、運送コストの低減や運送効率の向上を図ることのできる足踏み式噴霧器を提供することにある。
【課題を解決するための手段】
【０００７】
本考案の足踏み式噴霧器は、ベースと、ベースに立設された支柱と、支柱に設けられた載せ台と、載せ台上に載置されたスプレーボトルのヘッドを押し下げるプッシャと、プッシャを操作するフットペダルと、フットペダルの足踏み操作による動力をプッシャに伝達する伝達具を備え、当該フットペダルの足踏み操作によってスプレーボトル内の消毒液を噴霧することができるものである。支柱は二以上の支柱部材を備え、それら二以上の支柱部材は、使用時には連結することができ、不使用時には分離することができるように構成されている。
【考案の効果】
【０００８】
本考案の足踏み式噴霧器は、支柱を、使用時に連結でき、不使用時に分離できるようにしてあるため、全体をコンパクトに梱包することができ、運送料の低減や運送効率の改善を図ることができる。
【図面の簡単な説明】
【０００９】
【図１】本考案の足踏み式噴霧器の一例を示す斜視図。
【図２】図１に示す足踏み式噴霧器の内部構造説明図。
【図３】図１に示す足踏み式噴霧器の正面図。
【図４】図１に示す足踏み式噴霧器の動作説明図。
【図５】（ａ）は図１に示す足踏み式噴霧器の分解図、（ｂ）は（ａ）のフットペダル部分の分解図。
【考案を実施するための形態】
【００１０】
（実施形態）
本考案の足踏み式噴霧器の実施形態の一例を、図面を参照して説明する。一例として図１〜図３に示す足踏み式噴霧器は、ベース１と、ベース１に立設された支柱２と、支柱２に設けられた載せ台３と、載せ台３上のスプレーボトルＡのヘッドＡ１を押し下げるプッシャ４と、プッシャ４を操作するフットペダル５と、フットペダル５の足踏み操作による動力をプッシャ４に伝達する伝達具６（図２）を備えている。
【００１１】
前記ベース１は、足踏み式噴霧器を安定して支持するための部材である。一例として図１に示すベース１は方形状の平板であり、裏面には、滑り止め用のゴム脚７が取り付けられている。この実施形態では、ベース１として縦３０ｃｍ×横３０ｃｍ程度の方形状の平板を用いている。ベース１は、足踏み操作時に足踏み式噴霧器が倒れない大きさ、形状及び重量であればこれ以外であってもよい。
【００１２】
前記ベース１には支柱２が立設されている。この実施形態では、ベース１の上面側に突設された円柱状の嵌合ブロック８（図４及び図５（ａ））に支柱２の下端側が被せられ、それら嵌合ブロック８と支柱２とが、支柱２の外側から差し込まれた固定ビス９（図４）で固定されることによって、ベース１に支柱２が立設されている。支柱２は固定ビス９を外すことでベース１から分離することができる。
【００１３】
この実施形態の支柱２は下側の支柱部材（以下「下支柱」という）２ａと上側の支柱部材（以下「上支柱」という）２ｂを備えている。下支柱２ａと上支柱２ｂはいずれもパイプ材であり、内側に収容された連結具１０にビス止めされることによって連結されている。下支柱２ａと上支柱２ｂは連結ビス１１を外すことによって分離することができる。支柱２は三本以上の支柱部材で構成することもできる。下支柱２ａと上支柱２ｂは、使用時に連結でき、不使用時に分離することができれば、これ以外の方法で連結することもできる。
【００１４】
この実施形態の連結具１０は円柱状であり、上端側には細長棒状の内芯材１２が設けられている。内芯材１２の上端には、スライダ１３が設けられている。スライダ１３は、噴霧時に押し込まれるプッシャ４を昇降させる部材である。この実施形態のスライダ１３は上支柱２ｂ内に収まる外径の円柱状部材であり、上面にはスプレーボトルＡのヘッドＡ１を押し下げるプッシャ４が設けられている。
【００１５】
この実施形態のプッシャ４は細長の平板材であり、図２及び図４に示すように、スライダ１３に固定される固定部４ａと、スプレーボトルＡのヘッドＡ１に当接する押下げ部４ｂを備えている。プッシャ４は、固定部４ａに止めネジ１４でスライダ１３の上面に固定されている。プッシャ４は、押下げ部４ｂが上支柱２ｂに開口された上支柱開口２ｃから外部に突出するようにしてある。なお、上支柱２ｂの上端は、エンドキャップ２ｅによって閉塞されている。
【００１６】
図２及び図４に示すように、上支柱２ｂの内側であって連結具１０の上側には弾性部材１５が設けられている。弾性部材１５は、噴霧時に押し下げられたプッシャ４を元の位置（以下「基本位置」という）に復帰させるための部材である。この実施形態では、弾性部材１５としてスプリングを用いている。このスプリングはプッシャ４を基本位置に復帰させられるように、常時外向き（上下方向）に付勢されている。スプリングは、下端側が連結具１０で支持され、上端側が内芯材１２に螺合された上ストッパ１６で支持されている。弾性部材１５はスプリング以外であってもよい。
【００１７】
前記連結具１０の下端側には、係止フック１７が設けられている。係止フック１７は、伝達具６の上端側を係止するための部材である。係止フック１７には、たとえば、ねじ込み式のフックボルトなどを用いることができる。
【００１８】
前記伝達具６は、足踏み操作による動力をプッシャ４側に伝えるための部材である。この実施形態では、伝達具６として太さ２〜３ｍｍ程度のピアノ線（炭素鋼で作られた金属線）を用いている。伝達具６の上端側に設けられた上係止部（第一係止部）６ａは連結具１０の下端側に設けられた係止フック１７に係止され、下端側に設けられた下係止部（第二係止部）６ｂは後述するフットペダル５のアーム５ｂに係止されている。伝達具６はピアノ線以外であってもよい。
【００１９】
前記上支柱２ｂにはスプレーボトルＡを載置するための載せ台３が設けられている。この実施形態の載せ台３は、スプレーボトルＡを載せる載置面３ａと、載せ台３を上支柱２ｂに固定する際に用いる固定面３ｂを備えたＬ字状の部材である。載置面３ａには貫通孔３ｃが形成され、当該貫通孔３ｃに上支柱２ｂが挿通されている。図５（ａ）に示すように、載せ台３は、Ｕ字状の固定具１８ａをナット１８ｂで締結することで上支柱２ｂに固定されている。載せ台３の固定位置は、適宜調整することができる。
【００２０】
前記フットペダル５はプッシャ４を操作するための部材である。この実施形態のフットペダル５は、足で踏むことのできる踏板５ａ及びアーム５ｂを備えている。この実施形態の踏板５ａは、足で踏む面の先端側が下向きに折り返された側面視Ｌ字状の部材である。フットペダル５は、蝶番１９を介して回転可能にベース１に取り付けられている。
【００２１】
フットペダル５の取付け角度は、プッシャ４を十分に引き下げられ、使用者が踏み込みやすい角度、具体的には、踏板５ａとベース１とのなす角が２５度程度となるようにしてある。この角度は一例であり、フットペダル５の取付け角度はこれ以外であってもよい。
【００２２】
前記踏板５ａの先端側（下向きに折り返された面）には前記アーム５ｂが二本の固定ボルト５ｄで取り付けられている（図５（ｂ）参照）。アーム５ｂはこれ以外の方法で踏板５ａに取り付けることもできる。この実施形態のアーム５ｂはＬ字状の薄板部材であり、先端側には下側から切り欠かれた切欠き係止部５ｃが設けられている。アーム５ｂは下支柱２ａに設けられた下支柱開口２ｄから下支柱２ａ内に入りこむようにしてある。アーム５ｂの切欠き係止部５ｃには伝達具６の下係止部６ｂが係止されている。
【００２３】
図４に示すように、この実施形態の足踏み式噴霧器は、フットペダル５の踏込み操作によってアーム５ｂが押し下げられると、伝達具６が下方向に引き下げられてスライダ１３が降下し、スライダ１３の降下に伴ってプッシャ４が引き下げられ、当該プッシャ４によってスプレーボトルＡのヘッドＡ１が押し下げられて、当該スプレーボトルＡ内の消毒液がノズルＡ２から噴霧される。
【００２４】
その後、フットペダル５から足を離して踏込みを解除すると、踏板５ａ及びアーム５ｂが元の位置まで復帰し、外向きに付勢された弾性部材１５の作用によって、伝達具６の引き下げ、スライダ１３及びプッシャ４の引き下げが解除され、それぞれがもとの位置に復帰する。
【００２５】
この実施形態の足踏み式噴霧器は、図５（ａ）（ｂ）に示すように、複数のパーツに分解できるようにしてある。具体的には、ベース１及び載せ台３を支柱２から分離することができ、支柱２を下支柱２ａと上支柱２ｂに分離できる。この実施形態では、支柱２を下支柱２ａと上支柱２ｂに分離した場合に、連結具１０、内芯材１２、弾性部材１５、上ストッパ１６、係止フック１７、スライダ１３及びプッシャ４は上支柱２ｂ側に保持されるようにしてある。
【００２６】
なお、伝達具６は連結具１０の係止フック１７から外して下支柱２ａ側に保持されるようにすることも、係止フック１７に係止したまま上支柱２ｂ側に保持されるようにすることも、係止フック１７及び切欠き係止部５ｃの双方から外して、独立させておくこともできる。
【００２７】
この実施形態の足踏み式噴霧器は、図５（ａ）（ｂ）のように分離した状態で梱包することができる。この実施形態の足踏み式噴霧器は、支柱２を支柱部材単位に分離することができるため、使用状態の支柱２の長さよりも最長辺が短い梱包箱内に収容することができる。
【００２８】
従来の足踏み式噴霧器は支柱２の長さが一定であるため、最長辺の長さが使用状態の支柱２の長さよりも長い梱包箱にしか収容することができず、運送コストの低減や運送効率の改善を図ることが難しかった。これに対し、この実施形態の足踏み式噴霧器では、ベース１、支柱２及び載せ台３のそれぞれを分離できることに加え、支柱２を下支柱２ａと上支柱２ｂに分離することができるため、最長辺の長さが使用状態の支柱２の長さよりも短い梱包箱に収容することができ、梱包サイズをコンパクトにすることができる。この結果、運送コストの低減や運送効率の改善を図ることができる。仮に、ベース１、支柱２及び載せ台３のそれぞれが分離できない構成としても、支柱２を二以上の支柱部材に分離できれば、支柱２の長さが一定な従来の足踏み式噴霧器よりは梱包サイズをコンパクトにすることができる。
【００２９】
なお、分離された状態で納入された足踏み式噴霧器は、納入先において簡単に組み立てることができる。具体的には、二本の連結ビス１１で下支柱２ａと上支柱２ｂを連結し、二本の固定ビス９で支柱２を嵌合ブロック８に固定し、二本の固定ボルト５ｄでアーム５ｂを踏板５ａに固定し、Ｕ字状の固定具１８ａとナット１８ｂで載せ台３を支柱２に固定するだけで、足踏み式噴霧器を組み立てることができる。
【００３０】
前記実施形態は一例であり、本考案の足踏み式噴霧器は、その要旨を逸脱しない範囲で、その構成に変更を加えることができる。また、前述した分離方法や組み立て方法は一例であり、本考案の足踏み式噴霧器は、これ以外の方法で分離したり、組み立てたりすることもできる。
【符号の説明】
【００３１】
１      ベース
２      支柱
２ａ    下支柱
２ｂ    上支柱
２ｃ    上支柱開口
２ｄ    下支柱開口
２ｅ    エンドキャップ
３      載せ台
３ａ    載置面
３ｂ    固定面
３ｃ    貫通孔
４      プッシャ
４ａ    固定部
４ｂ    押下げ部
５      フットペダル
５ａ    踏板
５ｂ    アーム
５ｃ    切欠き係止部
５ｄ    固定ボルト
６      伝達具
６ａ    上係止部（第一係止部）
６ｂ    下係止部（第二係止部）
７      ゴム脚
８      嵌合ブロック
９      固定ビス
１０    連結具
１１    連結ビス
１２    内芯材
１３    スライダ
１４    止めネジ
１５    弾性部材
１６    上ストッパ
１７    係止フック
１８ａ  固定具
１８ｂ  ナット
１９    蝶番
Ａ      スプレーボトル
Ａ１    （スプレーボトルの）ヘッド
Ａ２    （スプレーボトルの）ノズル
【図１】
0003228519.tif 000003
【図２】
0003228519.tif 000004
【図３】
0003228519.tif 000005
【図４】
0003228519.tif 000006
【図５】
0003228519.tif 000007